(57)【要約】【課題】多量の汗をかいても、その汗を迅速に吸収して乾燥させることで肌に密着しにくい和装用ブラジャーを得る。【解決手段】左右の前身頃１・１と後身頃２とが、肩部３および脇部５でそれぞれ連結されている。前身頃１および後身頃２の内側には、吸汗速乾性素材製の布地が裏打ちしてある。吸汗速乾性素材製の布地は、汗をすばやく拡散乾燥できる速乾性編地と、吸水性に優れた吸汗性編地とを層状に重ねて形成してある。速乾性編地は着物側に配してあり、吸汗性編地は肌側に配してある。【選択図】図１
0003115866.tif 000002
【実用新案登録請求の範囲】
【請求項１】
左右の前身頃（１）と、後身頃（２）とを含み、
前身頃（１）および後身頃（２）の内側に、吸汗速乾性素材製の布地を裏打ちしたことを特徴とする和装用ブラジャー。
【請求項２】
前身頃（１）の肩下より胸にわたる部位の内側に、吸汗速乾性素材製の布地で肩下ポケット（６）を形成してあり、
この肩下ポケット（６）に、肩下まわりのくぼみを埋めるための肩下パッド（７）が収容可能になっている請求項１記載の和装用ブラジャー。
【請求項３】
前身頃（１）の胸元部の内側に、吸汗速乾性素材製の布地（９ａ）で胸元ポケット（９）を形成してあり、
この胸元ポケット（９）に、鳩尾まわりのくぼみを埋めるための胸元パッド（１０）が収容可能になっている請求項２記載の和装用ブラジャー。
【請求項４】
左右の前身頃（１）・（１）どうしは、正面側でファスナー止めされており、
このファスナー（１１）の内側が、吸汗速乾性素材製の布地からなる帯体（１２）で覆われており、
この帯体（１２）の左右の一端側が、左右の前身頃（１）・（１）のいずれか一方の前端縁に取り付けられている請求項３記載の和装用ブラジャー。
【請求項５】
吸汗速乾性素材製の布地が、毛細管現象作用に優れて汗をすばやく拡散乾燥できる速乾性編地と、毛細管状空間が速乾性編地よりも広くて吸水性に優れた吸汗性編地とを層状に重ねることで形成してあり、
速乾性編地が着物側に配され、吸汗性編地が肌側に配されている請求項１記載の和装用ブラジャー。
【考案の詳細な説明】
【技術分野】
【０００１】
本考案は、婦人が着物の着付けに際して胸まわり付近の体型を補正するために着用する和装用ブラジャーに関する。
【背景技術】
【０００２】
着物の着付けに際して、乳房を平らに押さえて胸の形を整えたり、パッドで肩下や鳩尾まわりのくぼみを埋めたりして胸まわりの体型を補正する和装用ブラジャーは、特許文献１〜３に公知である。
【０００３】
【特許文献１】実公昭４６−３６１７８号公報
【特許文献２】実公昭４８−３３５３６号公報
【特許文献３】実開昭５４−２７２５号公報
【考案の開示】
【考案が解決しようとする課題】
【０００４】
和装用ブラジャーを形成する木綿などの布地は、ある程度の汗なら吸収できるが、夏場の多量の汗は吸収しきれない。このため、和装用ブラジャーが肌に密着して、不快感を生じさせたり、あせもの発生などを招いたりするところに問題があった。
【０００５】
そこで本考案の目的は、多量の汗をかいても肌に密着しにくい和装用ブラジャーを提供することにある。
【課題を解決するための手段】
【０００６】
本考案は、図１に示すごとく、左右の前身頃１と後身頃２とからなる和装用ブラジャーにおいて、前身頃１および後身頃２の内側に吸汗速乾性素材製の布地を裏打ちしたことに特徴がある。ここでの布地は、織物や編物などが含まれる。前記吸汗速乾性素材製の布地は、例えば、毛細管現象作用に優れて汗をすばやく拡散乾燥できる速乾性編地と、毛細管状空間が速乾性編地よりも広くて吸水性に優れた吸汗性編地とを層状に重ねることで形成される。速乾性編地は着物側に配し、吸汗性編地は肌側に配する。
【０００７】
前身頃１の肩下より胸にわたる部位の内側には、吸汗速乾性素材製の布地で肩下ポケット６を形成し、この肩下ポケット６に、肩下まわりのくぼみを埋めるための肩下パッド７を収容可能にしてある。ここでの肩下ポケット６は、タオルやガーゼなどを肩下パッド７として収容してもよい。
【０００８】
前身頃１の胸元部の内側には、吸汗速乾性素材製の布地９ａで胸元ポケット９を形成し、この胸元ポケット９に、鳩尾まわりのくぼみを埋めるための胸元パッド１０を収容可能にしてある。ここでの胸元ポケット９には、タオルやガーゼなどを胸元パッド１０として収容してもよい。
【０００９】
左右の前身頃１・１どうしは正面側でファスナー止めしてあり、このファスナー１１の内側が吸汗速乾性素材製の布地からなる帯体１２で覆われている。この帯体１２の左右の一端側は、左右の前身頃１・１のいずれか一方の前端縁に取り付ける。
【考案の効果】
【００１０】
本考案によれば、前身頃１および後身頃２の内側に吸汗速乾性素材製の布地を裏打ちしたので、多量の汗でも吸汗速乾性素材製の布地が迅速に吸収して乾燥させることができる。これによって、和装用ブラジャーが汗で肌に密着することを好適に防止できて、常に快適な肌触りが得られる。したがって、べとつきによる不快感や、あせもの発生などを確実に防止できる。
【００１１】
肩下ポケット６が吸汗速乾性素材製の布地で形成されていると、肩下パッド７の収容で蒸れ易い肩下ポケット６の配置部位の汗を、吸汗速乾性素材製の布地が迅速に吸収してすばやく乾燥できる。同様に胸元ポケット９が吸汗速乾性素材製の布地で形成されていると、胸元パッド１０の収容で蒸れ易い胸元ポケット９の配置部位の汗も、吸汗速乾性素材製の布地が迅速に吸収してすばやく乾燥できる。
【００１２】
ファスナー１１の内側を覆う帯体１２が、吸汗速乾性素材製の布地で形成されていると、汗を迅速に吸収して乾燥させることができるうえ、ファスナー１１が肌に直接触れないために不快感を生じさせることもない。
【考案を実施するための最良の形態】
【００１３】
図１ないし図３は、本考案が対象とする和装用ブラジャーを示す。図１および図２において、左右の前身頃１・１と後身頃２とは、肩部３および脇部５でそれぞれ連結されている。左右の前身頃１・１どうしは、正面側でファスナー止めされる。ファスナー止めに代えてホック止め、ボタン止めあるいは紐止めなどにしてもよい。
【００１４】
左右の前身頃１・１は、図３に示すごとく、木綿などの生地からなる表布地１ａと、表布地１ａの裏側（内側）に裏打ちされる裏布地１ｂとを含む。裏布地１ｂは、吸汗速乾性素材製の編地（布地）からなる。吸汗速乾性素材製の編地は、毛細管現象作用に優れて汗をすばやく拡散乾燥できる速乾性編地と、毛細管状空間が速乾性編地よりも広くて吸水性に優れた吸汗性編地とを層状に重ねて形成してある。速乾性編地は着物側に配してあり、吸汗性編地は肌側に配してある。
【００１５】
つまり、速乾性編地は、主に断面Ｘ字状や断面Ｙ字状などの異形断面形状のポリエステル製繊維からなる。吸汗性編地は、主に断面が円形に近い形状のポリエステル製繊維からなる。吸汗性編地の繊維径は、速乾性編地の繊維径よりも大きく設定した。速乾性編地と吸汗性編地とは、それぞれ複数層ずつ形成してもよい。裏布地１ｂの肌側の表面は、肌との接触を減らして発汗によるベタツキ感を低減するために凹凸面形状になっており、さらに滑らかな肌触りにするために起毛している。
【００１６】
後身頃２は、木綿などの生地からなる表布地２ａと、表布地２ａの裏側（内側）に裏打ちされる裏布地２ｂとを含む。裏布地２ｂは、前述の吸汗速乾性素材製の編地からなる。肩部３および脇部５は、木綿などの生地からなる。肩部３および脇部５の少なくとも一方の内側にも、前記吸汗速乾性素材製の布地を裏打ちしてもよい。
【００１７】
前身頃１の肩下から胸にわたる部位の内側には、肩下まわりのくぼみを埋めるための肩下ポケット６が設けられており、この肩下ポケット６に三日月形状の肩下パッド７が出し入れ可能に収容される。
【００１８】
肩下ポケット６は、図２および図３に示すごとく、前身頃１の裏布地１ｂを首側部位で開口して形成してある。つまり、肩下ポケット６は、吸汗速乾性素材製の編地で形成されている。肩下ポケット６の開口は、肩下パッド７を出し入れできる程度の大きさに設定してある。肩下パッド７は、ガーゼ布に化学繊維綿を貼り付けたり、ガーゼ布袋に化学繊維綿を入れたりなどすることで形成する。
【００１９】
前身頃１の肩下から胸にわたる部位の内側にも前記裏布地１ｂを裏打ちし、その裏布地１ｂの裏側に吸汗速乾性素材製の編地で肩下ポケット６を作ってもよい。肩下パッド７に代えて、タオルやガーゼなどを肩下ポケット６に収容してもよい。
【００２０】
左右の前身頃１・１の胸元の内側には、裏布地１ｂの裏側（内側）に吸汗速乾性素材製の編地９ａで上方開放状の胸元ポケット９がそれぞれ設けられており、この胸元ポケット９に四角形状の胸元パッド１０が出し入れ可能に収容される。胸元パッド１０は、ガーゼ布に化学繊維綿を貼り付けたり、ガーゼ布袋に化学繊維綿を入れたりなどして形成する。胸元パッド１０および肩下パッド７は、着用者の体型（くぼみの深さ）に合ったものを選択できるように、厚みの異なる数種のものを用意しておくことが好ましい。胸元パッド１０に代えて、タオルやガーゼなどを胸元ポケット９に収容してもよい。
【００２１】
図１に示す左右の前身頃１・１どうしを止めるファスナー１１の裏側（内側）は、図２に示す吸汗速乾性素材製の編地からなる帯体１２で覆われる。この帯体１２は、前記編地を左右方向に二つ折りした縦長の形状になっており、帯体１２の左右の一端側が、一方の前身頃１の前端縁に縫い付けられる。
【００２２】
上記構成の和装ブラジャーを着用することにより、左右の前身頃１・１で乳房を平らに押さえて胸の形を整えることができる。鳩尾まわりにくぼみがある体型の人は、胸元パッド１０を胸元ポケット９に収容して着用することによって、前記くぼみを埋めて平たい胸を表現することができる。その際、くぼみが深い人の場合は、厚手の胸元パッド１０を使用するか、あるいは２枚以上重ねて使用する。
【００２３】
肩下まわりにくぼみがある体型の人は、肩下パッド７を肩下ポケット６に収容して着用することにより、前記くぼみを埋めて補正することができる。その際も、くぼみが深い人の場合は厚手の肩下パッド７を使用するか、あるいは２枚以上重ねて使用する。
【００２４】
背骨の下からヒップにわたってくぼみのある体型の人は、後身頃２の下縁に、面状ファスナー（ベルベット式ファスナー）などの止着具で腰当てパッドを脱着可能に取り付けて前記くぼみを埋めて補正してもよい。腰当てパッドは、さらし布袋などに綿などを入れてなる。この腰当てパッドは厚みの異なる数種のものを用意しておくことが好ましい。
【図面の簡単な説明】
【００２５】
【図１】本考案に係る和装用ブラジャーの正面図
【図２】和装用ブラジャーの裏面図
【図３】図１のＡ−Ａ線断面図
【符号の説明】
【００２６】
１  前身頃
１ａ  表布地
１ｂ  裏布地
２  後身頃
２ａ  表布地
２ｂ  裏布地
６  肩下ポケット
７  肩下パッド
９  胸元ポケット
９ａ  編地
１０  胸元パッド
１１  ファスナー
１２  帯体
【図１】
0003115866.tif 000003
【図２】
0003115866.tif 000004
【図３】
0003115866.tif 000005